(57)【要約】      （修正有）【課題】大きく水平方向に変位した可動床構造体をスライド可能に支承できるようにしつつ、安価でかつ簡単に構築できるようにした免震床構造を提供する。【解決手段】可動床構造体１は、分散配置された多数の摺動プレート２１と、摺動プレート２１同士を連結するジョイントビーム２２と、各摺動プレート２１から立設された上側支柱部材２３と、上側支柱部材２３に固定された床プレート２４とを有する。床スラブＵ上に、所定間隔毎に分散配置された状態で、多数の固定支承部１０が固定される。多数の固定支承部１０はそれぞれ、床スラブＵに固定されるベース部材と、ベース部材から立設された下側支柱部材と、下側支柱部材の上部に取付けられた低摩擦部材とで構成する。【選択図】図３
2015218517.tif 000002
【特許請求の範囲】
【請求項１】
床スラブ上に、所定間隔毎に分散配置された状態で固定された多数の固定支承部と、
下面がスライドプレートにより構成されると共に分散配置された多数の摺動プレートと、隣り合う該摺動プレート同士を連結するジョイントビームと、該各摺動プレートから立設された上側支柱部材と、該上側支柱部材に固定された床プレートとを有する可動床構造体と、
を有し、
前記多数の固定支承部はそれぞれ、前記床スラブに固定されるベース部材と、該ベース部材から立設された下側支柱部材と、該下側支柱部材の上部に取付けられて該固定支承部の上面を構成する低摩擦部材と、を有しており、
前記多数の固定支承部のうち一部の固定支承部が、前記摺動プレートを支承している平常時用とされる一方、他の固定支承部は該摺動プレートの周囲に位置された予備用とされ、
前記可動床構造体が前記床スラブに対して大きく水平方向に変位された際に、前記摺動プレートが前記平常時用の固定支承部から外れる前に、該摺動プレートが前記予備用の固定支承部に支承される、
ことを特徴とする免震床構造。
【請求項２】
請求項１において、
前記固定支承部における前記下側支柱部材が、前記ベース部材から立設された雄ネジ部材と、内周面に該雄ネジ部材に螺合される雌ネジ部を有する筒状部材とから構成され、
前記低摩擦部材が、前記筒状部材の上端面に着座される摺動部と、該摺動部の下面から突設されて該筒状部材の内孔内に挿入される挿入部と、を有している、
ことを特徴とする免震床構造。
【請求項３】
請求項２において、
前記固定支承部は、前記雄ネジ部材に螺合されて前記筒状部材の下面に当接されるロックナットをさらに有している、ことを特徴とする免震床構造。
【請求項４】
請求項２または請求項３において、
前記固定支承部における前記摺動部の上面が、上方に凸となるようにされた略球面状とされている、ことを特徴とする免震床構造。
【請求項５】
請求項２ないし請求項４のいずれか１項において、
前記スライドプレートの全周縁部について、その下面が、外周縁部に向かうにつれて徐々に上方に向かうように形成された傾斜面として形成されている、ことを特徴とする免震床構造。
【請求項６】
請求項１ないし請求項５のいずれか１項において、
前記床プレートが、正方形とされて、縦横に並べて配置され、
前記摺動プレートと前記上側支柱部材と前記平常時用の固定支承部とがそれぞれ、前記各床プレートの各角部に対応した位置に配設され、
前記予備用の固定支承部が、前記各床プレートの対角線同士が交差する交差部に対応した位置に配設されている、
ことを特徴とする免震床構造。
【請求項７】
床スラブ上に配設された可動床構造体を水平方向にスライド可能に支承するための固定支承部材であって、
床スラブに固定されるベース部材と、
前記ベース部材から立設された雄ネジ部材と、
内周面に前記雄ネジ部材に螺合される雌ネジ部を有する筒状部材と、
前記筒状部材の上端部に取付けられた低摩擦材からなる摺動部材と、
を有し、
前記低摩擦部材が、前記筒状部材の上端面に着座される摺動部と、該摺動部の下面から突設されて該筒状部材の内孔内に挿入される挿入部と、を有し、
前記摺動部の上面が、上方に凸となるようにされた球面状とされている、
ことを特徴とする免震床構造における固定支承部材。
【発明の詳細な説明】
【技術分野】
【０００１】
本発明は、免震床構造およびその固定支承部材に関するものである。
【背景技術】
【０００２】
最近の建物にあっては、コンピュータ等の精密機器類を地震による振動から保護するために、免震床構造を採択することが多くなっている。免震床構造の中には、床スラブ上に、上面が低摩擦材により構成された固定支承部を設けて、この固定支承部でもって可動床構造体を支承したものがある。この可動床構造体は、その下面が低摩擦材からなるスライドプレートによって構成された摺動プレートを有して、隣り合う摺動プレート同士をジョイントビームにより連結すると共に、各摺動プレートから立設した支柱部材上に、床プレートを固定した構造となっている。低摩擦材からなるスライドプレートと固定支承部上面の低摩擦材との間での良好な滑り作用によって、地震の際の振動に伴って、摺動プレートつまり可動床構造体が全体的に固定支承部に対して相対変位して、免震作用を行うことになる。
【０００３】
前記可動床構造体における摺動プレート（つまり床プレートが取付けられる支柱部材）は、平面視において縦横の格子を想定したときに、その格子の交点部分に設けられている。そして、可動床構造体が固定支承部に支承されつつ水平方向に変位可能な最大変位量は、従来は２００〜３００ｍｍ程度であった。
【０００４】
大きな地震によって発生される長周期振動によって、可動床構造体が、固定支承部から外れてしまうほど大きく水平方向に変位することが想定される（例えば４００〜５００ｍｍ程度の変位）。特許文献１には、各摺動プレートの周囲に、摺動プレートから放射状に伸びる複数本の予備用の支持部材を設けて、この予備用の支持部材の上面にその長手方向ほぼ全長に渡って長尺の低摩擦材を設けたものが開示されている。これにより、摺動プレートが固定支承部から外れる前に、摺動プレートが予備用の支持部材に乗り移って、この予備用の支持部材によって可動床構造体がスライド可能に支承されることになる。
【先行技術文献】
【特許文献】
【０００５】
【特許文献１】特開平１０−３３９０２６号公報
【発明の概要】
【発明が解決しようとする課題】
【０００６】
前記特許文献１に記載のものでは、上面が低摩擦部材で構成された長尺の予備用の支持部材が、１つの摺動プレートに対して放射状に複数本（４〜６本程度）設ける必要があることから、コスト高となり、また設置工事も面倒になる。
【０００７】
本発明は以上のような事情を勘案してなされたもので、その第１の目的は、大きく水平方向に変位した可動床構造体をスライド可能に支承できるようにしつつ、安価でかつ簡単に構築できるようにした免震床構造を提供することにある。
【０００８】
本発明の第２の目的は、上記免震床構造に用いて好適な固定支承部材を提供することにある。
【課題を解決するための手段】
【０００９】
前記第１の目的を達成するため、本発明にあっては次のような解決手法を採択してある。すなわち、請求項１に記載のように、
床スラブ上に、所定間隔毎に分散配置された状態で固定された多数の固定支承部と、
下面がスライドプレートにより構成されると共に分散配置された多数の摺動プレートと、隣り合う該摺動プレート同士を連結するジョイントビームと、該各摺動プレートから立設された上側支柱部材と、該上側支柱部材に固定された床プレートとを有する可動床構造体と、
を有し、
前記多数の固定支承部はそれぞれ、前記床スラブに固定されるベース部材と、該ベース部材から立設された下側支柱部材と、該下側支柱部材の上部に取付けられて該固定支承部の上面を構成する低摩擦部材と、を有しており、
前記多数の固定支承部のうち一部の固定支承部が、前記摺動プレートを支承している平常時用とされる一方、他の固定支承部は該摺動プレートの周囲に位置された予備用とされ、
前記可動床構造体が前記床スラブに対して大きく水平方向に変位された際に、前記摺動プレートが前記平常時用の固定支承部から外れる前に、該摺動プレートが前記予備用の固定支承部に支承される、
ようにしてある。上記解決手法によれば、大きな地震に伴う長周期振動により、摺動プレートが平常時用の固定支承部から外れてしまうほど大きく水平方向に変位される場合があるが、摺動プレートが平常時用の固定支承部から外れる前に予備用の固定支承部に支承されることとなり、可動床構造体を安定してスライド可能に支承し続けることができる。固定支承部は、小型でかつ使用材料（特に高価な低摩擦部材）が少なくてすみ、極めて安価に免震床構造を構築できると共に、固定支承部の設置作業も容易に行うことができる。
【００１０】
上記解決手法を前提とした好ましい態様は、特許請求の範囲における請求項２以下に記載のとおりである。すなわち、
前記固定支承部における前記下側支柱部材が、前記ベース部材から立設された雄ネジ部材と、内周面に該雄ネジ部材に螺合される雌ネジ部を有する筒状部材とから構成され、
前記低摩擦部材が、前記筒状部材の上端面に着座される摺動部と、該摺動部の下面から突設されて該筒状部材の内孔内に挿入される挿入部と、を有している、
ようにしてある（請求項２対応）。この場合、ネジ方式でもって下側支柱部材の長さ調整を行なうことが可能なので、床スラブが完全な平坦面でない場合でも、各固定支承部における低摩擦部材の上面高さ位置を所望高さ位置に精度よく設定することができる。
【００１１】
前記固定支承部は、前記雄ネジ部材に螺合されて前記筒状部材の下面に当接されるロックナットをさらに有している、ようにしてある（請求項３対応）。この場合、高さ調整した後の状態を、ロックナットにより確実に維持させることができる。
【００１２】
前記固定支承部における前記摺動部の上面が、上方に凸となるようにされた略球面状とされている、ようにしてある（請求項４対応）。この場合、摺動プレートを支承していない固定支承部に対して、全方向から摺動プレートがスムーズに乗り移ることができる。
【００１３】
前記スライドプレートの全周縁部について、その下面が、外周縁部に向かうにつれて徐々に上方に向かうように形成された傾斜面として形成されている、ようにしてある（請求項５対応）。この場合、請求項４に対応した効果と同様の効果を得ることができる。
【００１４】
前記床プレートが、正方形とされて、縦横に並べて配置され、
前記摺動プレートと前記上側支柱部材と前記平常時用の固定支承部とがそれぞれ、前記各床プレートの各角部に対応した位置に配設され、
前記予備用の固定支承部が、前記各床プレートの対角線同士が交差する交差部に対応した位置に配設されている、
ようにしてある（請求項６対応）。この場合、固定支承部と摺動プレートと床プレート（方形プレート）との具体的な配設関係が提供される。特に、床プレートは、正方形とされて縦横に並べて配設されるのが一般的であるが、この一般的な床プレートの形状に応じた好ましいものとなる。
【００１５】
前記第２の目的を達成するため、本発明にあっては次のような解決手法を採択してある。すなわち、請求項７に記載のように、
床スラブ上に配設された可動床構造体を水平方向にスライド可能に支承するための固定支承部材であって、
床スラブに固定されるベース部材と、
前記ベース部材から立設された雄ネジ部材と、
内周面に前記雄ネジ部材に螺合される雌ネジ部を有する筒状部材と、
前記筒状部材の上端部に取付けられた低摩擦材からなる摺動部材と、
を有し、
前記低摩擦部材が、前記筒状部材の上端面に着座される摺動部と、該摺動部の下面から突設されて該筒状部材の内孔内に挿入される挿入部と、を有し、
前記摺動部の上面が、上方に凸となるようにされた球面状とされている、
ようにしてある。上記解決手法によれば、請求項２、請求項４に対応した効果を得るための固定支承部材が提供される。
【発明の効果】
【００１６】
本発明によれば、大きく水平方向に変位した可動床構造体をスライド可能に支承できるようにしつつ、安価でかつ簡単に構築できる。
【図面の簡単な説明】
【００１７】
【図１】本発明が適用される２重床免震床構造の全体的な様子を示す簡略平面図。
【図２】床プレートと摺動プレートとジョイントビームと固定支承部との配置例を示す一部断面平面図。
【図３】固定支承部によって可動床構造体が支承されている状態を示す側面図。
【図４】図３のＡ部を一部を断面して示す拡大図。
【図５】固定支承部の配設例を示す平面図。
【図６】摺動プレートを下面から見た底面図。
【図７】固定支承部の詳細を示す斜視図。
【図８】図７に示す固定支承部の側面断面図。
【図９】可動床構造体と固定床との境界部位の一部断面平面図。
【図１０】可動床構造体と固定床との境界部位の側面図。
【図１１】可動床構造体と固定床との境界部位を一部を断面して示す斜視図。
【図１２】可動床構造体と固定床との境界部位における上レール部材と下レール部材との配設例を示す平面図。
【図１３】上レール部材と下レール部材と支承ピン部材との関係を示す断面図。
【図１４】平常時での可動床構造体と固定床との位置関係を示す側面図。
【図１５】図１４の状態から、可動床構造体が大きく左方へ移動された状態を示す側面図。
【図１６】図１４の状態から、可動床構造体が大きく右方へ移動された状態を示す側面図。
【発明を実施するための形態】
【００１８】
図１、図３において、床スラブＵ上に設置される室Ｓの床が、水平方向に変位可能な可動床構造体１と、固定された固定床２とから構成されている。可動床構造体１は、室Ｓの側壁３から所定間隔あけて設置され、可動床構造体１の全周囲に固定床２が位置されている。
【００１９】
可動床構造体１は、その周囲に設けたコイルスプリングからなるリターンスプリング５によって、室Ｓのほぼ中心に位置するように付勢されている。このリターンスプリング５は、水平方向に伸びて、可動床構造体１と床スラブＵとの間に架設されている。
【００２０】
可動床構造体１は実施形態では室Ｓの形状に合せて４角形、より具体的には正方形とされているが、可動床構造体１の形状は適宜設定できるものである。また、可動床構造体１の各辺についてそれぞれリターンスプリング５が複数設けられているが、リターンスプリング５の数は適宜設定できるものである。
【００２１】
可動床構造体１は、固定支承部１０を介して、床スラブＵに対して水平方向にスライド可能に支承される。以下、この固定支承部１０による可動床構造体１の支承構造について説明するが、まず、固定支承部１０について説明する。
【００２２】
固定支承部１０は、図７、図８に示すように、大別して、ベース部材１１と、ベース部材１１から一体的に上方へ伸びる雄ネジ部材１２と、雄ネジ部材１２に螺合された筒状部材１３と、筒状部材１３の上端部に取付けられた低摩擦部材１４とを有し、実施形態ではさらにロックナット１５を有している。
【００２３】
ベース部材１１は、例えば鉄系金属板を加工することにより形成されて、実施形態では方形に形成されている。ベース部材１１には、複数の取付孔１１ａが形成されている。ベース部材１１は、その下面に塗布された接着材によって、床スラブＵに対して固定されている。そして、接着材が取付孔１１ａにも充填されて、その一部がベース部材１１の上面に大径頭部１６（図８参照）として外部に露出されている。接着材による大径頭部１６の形成により、アンカ効果も得られて、固定強度向上が図られている。なお、より一層の固定強度を確保するために、接着材に代えてあるいは接着材と共に、取付孔１１ａに挿通されたボルトによって、ベース部材１１を床スラブＵに固定することも可能である。
【００２４】
雄ネジ部材１２は、例えばボルトの軸部を利用して形成されて、その下端部がベース部材１１に対して溶接等により一体化されている。筒状部材１３は、長尺のナット部材となっており、外周形状が六角形状とされて、その内孔１３ａに雌ネジ部１３ｂが形成されている。筒状部材１３は、その雌ネジ部１３ｂを雄ネジ部材１２に螺合させることにより、雄ネジ部材１２に一体化される。そして、雄ネジ部材１２には、筒状部材１３の下方において、ロックナット１５が螺合されている。
【００２５】
低摩擦部材１４は、実施形態ではポリアミドイミド樹脂（より具体的には、東レ株式会社製の商品名ＴＩポリマを使用）により構成してあるが、この他適宜の低摩擦部材により構成することが可能である。この低摩擦部材１４は、大別して、摺動部１４ａと、摺動部１４ａの下面から下方に向けて突出された挿入部１４ｂとを有する。挿入部１４ｂは断面円形とされて、筒状部材１３の内孔１３ａにがたつきなくスムーズに嵌合されるようになっている。摺動部１４ａは、筒状部材１３の外径とほぼ同径とされて、挿入部１４ｂを内孔１３ａに挿入した状態で、筒状部材１３の上端面に着座される。そして、摺動部１４ａは、その上面が、上に向けて突面となる球面状（球面の一部を構成する面で、ほぼ球面状を含む）とされている。つまり、摺動部１４ａの側面断面形状を示す図８から理解されるように、その上面は上に凸の円弧状に湾曲された形状とされている。
【００２６】
床スラブＵ上にベース部材１１を固定した状態で、低摩擦部材１４の上面が所望高さ位置となるように、筒状部材１３の雄ネジ部材１２に対する螺合位置が調整される。この調整終了後に、ロックナット１５が筒状部材１３の下面に強く当接するように締め付けられて、上記所望高さ位置が維持される。床スラブＵが若干の勾配あるいは凹凸を有していても、上述した螺合位置の調整によって、低摩擦部材１４の上面高さ位置が所望高さ位置とされる。このように、実施形態では、雄ネジ部材１２と筒状部材１３とで、長さ調整可能な支柱部材を構成している。
【００２７】
上記固定支承部１０は、多数設けられて、図２、図５に示すように分散配設される。すなわち、縦横それぞれ等ピッチ間隔の正方形の格子を想定したとき、この格子の交点位置に固定支承部１０が位置するように配設される。上記格子のピッチは、後述する正方形の床プレートの１辺の長さ（実施形態では６００ｍｍ）の半分の長さ（実施形態では３００ｍｍ）とされている。
【００２８】
可動床構造体１は、大別して、多数の摺動プレート２１と、隣り合う摺動プレート２１同士を連結するジョイントビーム２２と、摺動プレート２１の中心部から上方へ一体的に伸びる支柱部材２３と、支柱部材２３の上部に取付けられた床プレート２４と、を有する。
【００２９】
摺動プレート２１は、図６に示すように、正方形状の４隅を切り欠いた形状とされている。この摺動プレート２１は、図８に示すように、鉄系金属板を加工したベース部材２１Ａの下面に、中間部材２１Ｂを介在させて、低摩擦部材２１Ｃを一体化した構造とされている。なお、実施形態では、低摩擦部材２１Ｃは、コストや強度等の観点から、皿状の金属プレートの下面（外周面）に、テフロン（登録商標）、ナイロン、ポリアセタール等の低摩擦材をコーティングすることにより構成されている。
【００３０】
低摩擦部材２１Ｃは、その全周縁部において、外周縁部に向かうにつれて徐々に高い位置となるように湾曲された傾斜面２１ａとされている（当然のことながら、傾斜面２１ａの外周面にも、テフロン（登録商標）、ナイロン、ポリアセタール等の低摩擦材がコーティングされている。つまり、後述するように、摺動プレート２１が水平方向に移動して、固定支承部１０に新たに支承されようとする際に、傾斜面２１ａと固定支承部１０の摺動部１４ａの球面状の上面との相互作用により、極めてスムーズに固定支承部１０へと乗り移るのに好ましい設定となっている。また、傾斜面２１ａの背面側には、ベース部材２１Ａおよび中間部材２１Ｂとの間に間隔（空間）が形成されて、この傾斜面２１ａが固定支承部１０の摺動部１４ａに対して新たに乗り上げる際に、傾斜面２１ａが若干弾性変形可能されて、これにより当該新たな乗り上げがより一層スムーズに行われるようになっている。なお、傾斜面２１ａは、曲面状に限らず、直線状に変化する場合であってもよいものである。
【００３１】
隣り合う摺動プレート２１同士が、例えば鉄系金属板を加工して形成されたジョイントビーム２２によって相互に連結されている（特に図２参照）。これにより、多数の摺動プレート２１は、互いに一体となって水平方向に移動可能とされている。
【００３２】
支柱部材２３は、例えば鉄系金属により筒状に形成されて、その下部が摺動プレート２１に対してボルト等の固定具によって固定される。図４に示すように、支柱部材２３の上端部にはナット部材２３Ａが嵌合、固定され、またその外周には上方に向けて末広がりとされた受け部材２３Ｂが固定されている。
【００３３】
床プレート２４は、正方形のプレート材とされて、縦横に並べて配設された構成とされている。床プレート２４の各角部に対応した位置において、固定支承部１０、摺動プレート２１および支柱部材２３が位置される。図４に示すように、床プレート２４は、その角部上面が部分的に低くされて、この低くされた部分が受け部材２３Ｂに着座された状態で、押圧部材２６によって上方から覆われる。そして、固定ボルト２７を押圧部材２６を貫通させて前記ナット部材２３Ａに螺合することにより、床プレート２４は、押部材２６によって受け部材２３Ｂに押圧された固定状態とされる。この受け部材２３Ｂには、最大で４枚の床プレート２４の角部が固定されることになる。なお、床プレート２４の角部の底面には係合凹部が形成される一方、受け部材２３Ｂにはこの係合凹部に嵌合される係合突部が形成されていて、この係合凹部に係合突部が嵌合された位置決め状態でもって、押圧部材２６、固定ボルト２７による固定が行われる。
【００３４】
上述した可動床構造体１は、摺動プレート２１から床プレート２４までの２重床の構造物として強固な一体化物とされる。そして、地震等により大きな揺れが生じたときに、互いに１つの構造物として水平方向にスライド変位されることになる。
【００３５】
ここで、可動床構造体１と固定支承部１０との位置関係について説明する。まず、方形の床プレート２４の各角部となる位置において、摺動プレート２１（支柱部材２３）が位置される。摺動プレート２１は、その対角線が床プレート２４の１つの辺と平行となる姿勢でもって配設される。
【００３６】
可動床構造体１を設置した直後の平常時（振動による可動床構造体１の水平移動が行われない状態）では、固定支承部１０は、１つの摺動プレート２１の中心部に１個装備され、この摺動プレートを支承している固定支承部１０が、平常時用の固定支承部となる。また、平常時において、摺動プレート２１を支承しない固定支承部１０が、予備用の固定支承部となる。
【００３７】
以上のような構成において、平常時は、可動床構造体１は、その各摺動プレート２１が１つの固定支承部１０（平常時用の固定支承部）で支承された状態とされる。地震等による揺れによって、可動床構造体１が水平方向に変位（移動）される場合を考える。可動床構造体１の変位が小さいとき（例えば固定支承部１０を中心として半径２００ｍｍ程度の範囲での変位）、つまり摺動プレート２１（の低摩擦部材２１Ｃ）の面積範囲内での変位のときは、摺動プレート２１は、少なくとも平常時用の固定支承部１０によって支承された状態が維持される。
【００３８】
大きな地震のとき、特に長周期振動による揺れの場合に、可動床構造体１が大きく水平方向に変位されると（例えば４００〜５００ｍｍの変位）、摺動プレート２１が、いままで支承されていた平常時用の固定支承部１０から外れることになる。しかしながら、この場合は、いままで支承されていた平常時用の固定支承部１０の支承が外れる前に、摺動プレート２１が予備用の固定支承部１０に移乗されて、支承されることになる。つまり、摺動プレート２１は、最低１つの固定支承部１０によって常に支承されつつ、変位方向によっては最大３個の固定支承部１０によって支承されることになる。このように、可動床構造体１が、３６０度いずれの方向に水平方向に大きく変位しても、固定支承部１０による確実な支承が維持されることになる。低摩擦部材２１Ｃの傾斜面２１ａおよび固定支承部１０における低摩擦部材１４上面の球面形成によって、摺動プレート２１は、スムーズに予備用の固定支承部１０に乗り移ることができる。
【００３９】
固定支承部１０における低摩擦部材１４は、その挿入部１４ｂが筒状部材１３内に挿入されているため、乗り移ってくる摺動プレート２１からの横力を受けても、筒状部材１３から外れることはない。なお、低摩擦部材１４を筒状部材１３に対して、固定具あるいは接着材により強固に一体化しておくこともできる。また、摺動プレート２１（低摩擦部材２１Ｃ）と固定支承部１０の低摩擦部材１４との間での摺動により、減衰作用が行われることになり、このため実施形態では、可動床構造体１の周囲に対して減衰用のダンパを別途設けないものとなっている（別途減衰用のダンパを設けることも可能である）。
【００４０】
ここで、特許文献１で開示されたような１つの摺動プレートからそれぞれ放射状に伸びる複数の支持部材を設ける場合に比して、固定支承部１０を用いた場合は、構造そのものが簡単でありしかも安価ですむものである。具体的には、特許文献１の複数本の支持部材を用いる場合に比して、用いる金属材の重量で数分の１〜数十分の１ですみ、また高価な低摩擦部材を用いる面積範囲も数分の１〜数十分の１ですみ、コストの点では飛躍的に低減することが可能である。また、設置個数も少なくてすみ、極めて簡単かつすみやかに設置作業を完了させることができる。
【００４１】
次に、可動床構造体１と固定床２との間に構成されるボーダパネル部分の構成について、図９以下を参照しつつ説明する。まず、固定床２は、床スラブＵに固定される縦横に等ピッチで配設された多数の支柱部材５１と、支柱部材５１の上部に固定された床プレート５２とを有する。床プレート５２は、方形とされて、縦横に並べて配設されて、その角部に相当する位置に支柱部材５１が位置したものとなっている。
【００４２】
図９、図１０に示すように、固定床２上に伸びるボーダパネル部４は、フレーム部材３１と、当該フレーム部材３１に固定された床プレート３２とを有している。床プレート３２は、可動床構造体１に用いた床プレート２４と同じものである。そして、各床プレート３２は、その角部において、フレーム部材３１に固定されている（床プレート２４の固定手法と同様の固定手法）。床プレート３２の角部底面には、床プレート２４と同様に係合凹部が形成され、この係合凹部に嵌合される係合突部３１ａがフレーム部材３１の上面に形成されている(図９参照）。可動床構造体１の床プレート２４に対して、ボーダパネル部４の床プレート３２が面一とされている。
【００４３】
上記フレーム部材３１は、例えば鉄系金属板を加工することにより閉断面状とされた断面方形のパイプ材を複数本（実施形態では３本）接合することにより極めて剛性の高いものとして構成されている。そして、フレーム部材３１は、長尺に形成されている（例えば１６００ｍｍ）。フレーム部材３１は、床プレート２４（３２）の配設ピッチと同じピッチ間隔（床プレート２４、３２の１辺の長さ間隔）で複数本用いられている。各フレーム部材３１の一端部は、可動床構造体１における端部側の支柱部材２３（の受け部材２３Ｂ）に連結、固定されている。フレーム部材３１の他端部は、固定床２上にオーバラップするように伸びており、平常時でのオーバラップ量は、６００ｍｍ程度と大きくされている。
【００４４】
図１２、図１３に示すように、フレーム部材３１の下面には、上レール部材３３が固定されている。上レール部材３３は、下方に向けて開口されて断面コ字状とされて、フレーム部材３１と同方向に長く伸びている。
【００４５】
上記フレーム部材３１（の上レール部材３３）に対応して、固定床２（の床プレート５２）上には、下レール部材５３が固定されている（図１１、図１２参照）。下フレーム部材５３は、上方に向けて開口された断面コ字状とされて、フレーム部材３１（上レール部材３３）と直交する方向に伸びている。
【００４６】
上レール部材３３と下レール部材５３との交差位置において、支承ピン部材３４が配設されている（図１１、図１３参照）。支承ピン部材３４は、適宜の低摩擦部材により構成されており、実施形態ではポリアミドイミド樹脂により構成してある（より具体的には、東レ株式会社製の商品名ＴＩポリマを使用）。低摩擦部材からなる支承ピン部材３４は、各レール部材３３、５３に対して円滑に摺動できるようにされている。支承ピン部材３４は、固定支承部１０における低摩擦部材１４を上下逆とした形態とされている（低摩擦部材１４と共用）。つまり、支承ピン部材３４の下面は、球面状の突面とされている。なお、支承ピン部材３４の上面側が球面状の突面となるように配設してもよい。勿論、支承ピン部材３４は、低摩擦部材１３と共用することなく、別途専用の形状、大きさのものを用いてもよく、例えば上面および下面をそれぞれ球面状の突面とした形状とすることもできる。
【００４７】
特に図１２に示すように、１本の上レール部材３３に対して、１つの下レール部材５３が対応づけられている。すなわち、１つの下レール部材５３が複数の上レール部材３３用として兼用しないものとなっている。そして、隣り合う２つの下レール部材５３同士は、上レール部材３３の長手方向に若干オフセットした位置に設定されている。
【００４８】
上下のレール部材３３、５３は、大きな水平方向変位を吸収できるように、例えば１２００ｍｍ程度の長尺とされているが、１本のアングル材を用いて、途中に継ぎ目を有しないようにされている。つまり、継ぎ目部分が存在すると、支承ピン部材３４の円滑な摺動を妨げる原因となるが、このような継ぎ目を有しないようにするために、下レール部材５３が複数の上レール部材３３用として兼用しないものとしてある。
【００４９】
なお、下レール部材５３を、複数本のチャネル材を連結することにより、複数の上レール部材３３を跨ぐように極めて長尺なものとして構成することもできる。この場合、支承ピン部材３４の円滑が摺動が確保されるように、下レール部材５３の継ぎ目部分を滑らかに仕上げ加工しておくのが好ましい。なお、より円滑な摺動が確保のために、各レール部材３３、５３の内面(支承ピン部材３４が摺動される面）を低摩擦部材（テフロン（登録商標）、ナイロン、ポリアセタール等）によってコーティングしておくこともできる。
【００５０】
ボーダパネル部４の先端部（室Ｓの側壁３に近い側の端部）には、例えばアルミニウム合金を押し出し形成してなるエッジモール部材３５が取付けられている。
【００５１】
上述したボーダパネル部４は、フレーム部材３１と床プレート３２とにより、剛性の優れたものとして構成されている。また、ボーダパネル部４は、固定床２にも支承されているため、ボーダパネル部４上に重量物の機器類を載置することが可能になっている。さらに、ボーダパネル部４は、フレーム部材３１に床プレート３２を固定したパネル構造であるため、剛性に優れるだけでなく、施工性のよいものとなる。
【００５２】
可動床構造体１が水平方向に変位するのに伴って、ボーダパネル部４が固定床２上に対して相対変位される。ボーダパネル部４は、固定床２に対して６００ｍｍ以上のオーバラップ量を有し、また室Ｓの側壁３に対しては５００ｍｍ以上の隙間を有するように設定され、さらに可動床構造体１と固定床２との間隔は５００ｍｍ以上となるように設定されている。これにより、可動床構造体１が、床スラブＵに対して水平方向に大きく変位しても（例えば大地震のときの長周期振動を想定した半径５００ｍｍの変位量）、可動床構造体１と固定床２との間に隙間が形成されることなく、オーバラップ状態が維持されることになる。
【００５３】
ここで、１６００ｍｍの長さを有するボーダパネル部４を、鉄板で構成した場合を想定する。この場合は、撓み変形防止のために相当に肉厚を大きくせざるを得ず、また側壁３に沿う方向に複数に分割形成したとしても、１枚の鉄板の重量が極めて大きくなって、その設置作業が重労働となる。また、鉄板により構成されたオーバラップ部分上に、重量物の機器類を設置することも難しいものとなる。
【００５４】
以上実施形態について説明したが、本発明は、実施形態に限定されるものではなく、特許請求の範囲の記載された範囲において適宜の変更が可能である。固定支承部１０は、高さ調整できないものであってもよい（互いに螺合される雄ネジ部材１２と筒状部材１３とに分割構成とすることなく、例えば１つの筒状部材で構成する）。勿論、本発明の目的は、明記されたものに限らず、実質的に好ましいあるいは利点として表現されたものを提供することをも暗黙的に含むものである。
【産業上の利用可能性】
【００５５】
本発明は、大きな揺れを伴う地震にも対応できる免震床構造として好適である。
【符号の説明】
【００５６】
Ｕ：床スラブ
Ｓ：室
１：可動床構造体
２：固定床
３：側壁
４：ボーダパネル部
５：リターンスプリング
６：ダンパ
１０：固定支承部
１１：ベース部材
１２：雄ネジ部材（支柱部材）
１３：筒状部材（支柱部材）
１４:低摩擦部材
１４ａ：摺動部
１４ｂ：挿入部
１５：ロックナット
２１：摺動プレート
２１Ｃ：スライドプレート
２１ａ：傾斜面
２２：ジョイントビーム
２３：支柱部材
２４：床プレート
３１：フレーム部材（ボーダパネル部）
３２：床プレート（ボーダパネル部）
３３：上レール部材（ボーダパネル部）
３４：支承ピン部材（ボーダパネル部）
５１：支柱部材（固定床）
５２：床プレート（固定床）
５３：下レール部材（固定床）
【図１】
2015218517.tif 000003
【図２】
2015218517.tif 000004
【図３】
2015218517.tif 000005
【図４】
2015218517.tif 000006
【図５】
2015218517.tif 000007
【図６】
2015218517.tif 000008
【図７】
2015218517.tif 000009
【図８】
2015218517.tif 000010
【図９】
2015218517.tif 000011
【図１０】
2015218517.tif 000012
【図１１】
2015218517.tif 000013
【図１２】
2015218517.tif 000014
【図１３】
2015218517.tif 000015
【図１４】
2015218517.tif 000016
【図１５】
2015218517.tif 000017
【図１６】
2015218517.tif 000018